(57)【要約】【課題】本発明は、センサの位置を変えることができる電子装置を提供することを目的とする。【解決手段】本発明の電子装置は、底部及び前記底部の内部に設置されたプリント基板を備える。電子装置は、センサ及び柔軟性を有する回転板を備え、センサは、回転板に設置され、且つこの回転板を介して、プリント基板と電気的に接続される。また、回転板は、フレキシブルプリント基板であり、プリント基板には、コネクタが設けられ、回転板は、コネクタを介して、プリント基板と電気的に接続されて、センサは、プリント基板と電気的に接続される。【選択図】図５
2014174163.tif 000002
【特許請求の範囲】
【請求項１】
底部及び前記底部の内部に設置されるプリント基板を備える電子装置において、
前記電子装置は、センサ及び柔軟性を有する回転板を備え、前記センサは、前記回転板に設置され、且つ前記回転板を介して、前記プリント基板と電気的に接続されることを特徴とする電子装置。
【請求項２】
前記回転板は、フレキシブルプリント基板であることを特徴とする請求項１に記載の電子装置。
【請求項３】
前記プリント基板には、コネクタが設けられ、前記回転板は、前記コネクタを介して、前記プリント基板と電気的に接続されて、前記センサは、前記プリント基板と電気的に接続されることを特徴とする請求項１または２に記載の電子装置。
【請求項４】
前記底部は、上面板を備え、前記上面板には、取り付け部が設けられ、前記取り付け部には、取り付け溝が設けられ、前記センサは、前記取り付け溝の内部にロックされることを特徴とする請求項１から３のいずれか一項に記載の電子装置。
【請求項５】
前記プリント基板には、切欠き口が設けられ、前記取り付け部は、前記切欠き口の内部に位置することを特徴とする請求項４に記載の電子装置。
【請求項６】
前記センサは、１つの感知方向を備え、前記感知方向は、前記プリント基板に平行であることを特徴とする請求項１から５のいずれか一項に記載の電子装置。
【発明の詳細な説明】
【技術分野】
【０００１】
本発明は、電子装置に関し、特にセンサを備える電子装置に関するものである。
【背景技術】
【０００２】
赤外線センサは、現在、様々な種類の電子装置(例えば、携帯電話、ノート型パソコン等)に応用されている。一般的に、赤外線センサは、直接プリント基板の表面に固定されるため、赤外線センサの位置を変えることはできない。従って、赤外線センサの感知方向は、プリント基板に垂直になるため、赤外線センサは、電子装置の側面に位置する物体に対して感知できない。また、赤外線センサの構造は比較的大きいので、プリント基板の空間を占有し、プリント基板の配線に影響を与える。更に、赤外線センサは、プリント基板上に設置されるため、プリント基板の全体の厚さは厚くなり、電子装置自体の厚さも厚くなる。
【発明の概要】
【発明が解決しようとする課題】
【０００３】
以上の問題点に鑑みて、本発明は、センサの位置を変えることができる電子装置を提供することを目的とする。
【課題を解決するための手段】
【０００４】
上記の課題を解決するために、本発明の電子装置は、底部及び前記底部の内部に設置されたプリント基板を備える。前記電子装置は、センサ及び柔軟性を有する回転板を備え、前記センサは、前記回転板に設置され、且つ前記回転板を介して、前記プリント基板と電気的に接続される。
【発明の効果】
【０００５】
本発明の電子装置は、従来の電子装置に比べて、センサが回転板に設置されるため、柔軟性を有する回転板を介して、センサのプリント基板との対向位置を変えることができ、故に、センサは、電子部材における使用されていない位置に設置することができるため、電子部材の空間を節約できる。
【図面の簡単な説明】
【０００６】
【図１】本発明に係る電子装置の分解斜視図である。
【図２】図１に示した電子装置のＩＩ部分の拡大図である。
【図３】図１に示した電子装置のＩＩＩ部分の拡大図である。
【図４】図１に示した電子装置の組立斜視図である。
【図５】図４に示したＶ部分の拡大図である。
【発明を実施するための形態】
【０００７】
以下、図面に基づいて、本発明に係る電子装置について詳細に説明する。図１に示したように、電子装置１００は、電子部材３０及び電子部材３０の内部に設置されるセンサアセンブリ６０を備える。本実施形態において、電子部材３０は、ノート型パソコンである。
【０００８】
図２〜図４を併せて参照すると、電子部材３０は、底部１０及び底部１０の内部に設置されるプリント基板２０を備える。本実施形態において、プリント基板２０は、メインボードである。プリント基板２０には、センサアセンブリ６０と対応してコネクタ２１と、切欠き口２３と、が設けられている。底部１０は、上面板１１及び上面板１１の一側に且つ該上面板１１に対してほぼ垂直に設置された側板１３を備える。また、上面板１１上の側板１３に隣接する箇所には、取り付け部１５が設置されている。取り付け部１５には、センサアセンブリ６０を固定するための取り付け溝１５１が設けられている。取り付け部１５は、弾性を備える。本実施形態において、取り付け部１５は、プラスチックから製造される。側板１３には、外部設備と接続するためのインターフェース１３１が設けられている。
【０００９】
図５に示したように、センサアセンブリ６０は、回転板４０及び回転板４０に設置されたセンサ５０を備える。回転板４０は、柔軟性を備えるため、湾曲させて、センサ５０をプリント基板２０に対して水平或いは垂直になるよう位置させる。本実施形態において、回転板４０は、フレキシブルプリント基板である。センサ５０は、電子部材３０が外部の設備（例えば、マウス、外付けハードディスク、フラッシュディスク等）と接続されたかどうかを感知する。本実施形態において、センサ５０は、赤外線センサである。
【００１０】
電子装置１００を組み立てる際、プリント基板２０を、底部１０の上面板１１上に設置した後、取り付け部１５をプリント基板２０の切欠き口２３の内部に位置させる。この際、回転板４０のセンサ５０が設置された一端は、９０度湾曲するため、センサ５０の感知方向は、プリント基板２０が位置する平面とほぼ平行となる。次いで、回転板４０の他端を、コネクタ２１の内部に挿し込み、センサ５０とプリント基板２０とを電気的に接続させる。センサ５０は、弾性的に底部１０の取り付け溝１５１の内部にロックされ、且つＡ方向の感知方向を備える。このＡ方向の感知方向は、プリント基板２０に平行である。
【００１１】
本発明の電子装置１００は、回転板４０により、センサ５０がプリント基板２０の一側に設置されるため、プリント基板２０の空間を節約し、また、センサ５０はプリント基板２０の表面に位置しないので、プリント基板２０の全体の厚さを薄くすることができる。
【符号の説明】
【００１２】
１００  電子装置
１０  底部
１１  上面板
１３  側板
１３１  インターフェース
１５  取り付け部
１５１  取り付け溝
２０  プリント基板
２１  コネクタ
２３  切欠き口
３０  電子部材
４０  回転板
５０  センサ
６０  センサアセンブリ
【図１】
2014174163.tif 000003
【図２】
2014174163.tif 000004
【図３】
2014174163.tif 000005
【図４】
2014174163.tif 000006
【図５】
2014174163.tif 000007